(57)【要約】      （修正有）【課題】簡単な構成で、読み取る原稿の厚さ毎に設置することなく、単に、原稿を一対の搬送ローラ間に食い込ませるのみで原稿を読み取ることができる原稿読取装置を提供する。【解決手段】読取部１００に原稿Ｐを搬送する搬送口１０に設けられた一対の搬送ローラ２００と、読取部１００で原稿Ｐが読み取られた後に排出される排出口に設けられた一対の排出ローラ３００と、搬送される原稿Ｐの方向に、搬送ローラおよび排出ローラを付勢する付勢手段と、一対の搬送ローラ２００の隙間と、一対の排出ローラ３００の隙間Ｓを、原稿Ｐの厚さに応じて、調整するリンク機構とを有することを特徴とする。【選択図】図１
2013095532.tif 000002
【特許請求の範囲】
【請求項１】
原稿のデータを読取部で読み取る原稿搬送装置において、
前記読取部に原稿を搬送する搬送口に設けられた一対の搬送ローラと、前記読取部で原稿が読み取られた後に排出される排出口に設けられた一対の排出ローラと、搬送される前記原稿の方向に、前記搬送ローラおよび前記排出ローラを付勢する付勢手段と、
前記一対の搬送ローラの隙間と、前記一対の排出ローラの隙間を、前記原稿の厚さに応じて、調整するリンク機構とを有し、
前記一対の搬送ローラは、第一駆動軸に軸支された搬送駆動ローラと、第一従動軸に軸支され、該搬送駆動ローラの回転に追従する搬送従動ローラとを備え、
前記一対の排出ローラは、第二駆動軸に軸支された排出駆動ローラと、第二従動軸に軸支され、該排出駆動ローラの回転に追従する排出従動ローラとを備え、
前記リンク機構は、前記第一従動軸を支持する第一リンクと、前記第二従動軸を支持する第二リンクと、該第一リンクと第二リンクとを軸支して、前記第一従動軸と前記第二従動軸を連結する支軸とを備え、
前記リンク機構は、前記原稿の厚さに応じて、前記搬送従動ローラを前記搬送駆動ローラから離間させるとともに、前記搬送従動ローラを前記搬送駆動ローラとの離間動作に追従して、前記排出従動ローラを前記排出駆動ローラから離間させることを特徴とする原稿搬送装置。
【請求項２】
前記搬送駆動ローラと前記排出駆動ローラが配置された本体部と、前記読取部および前記リンク機構が配置された蓋部とからなり、
前記蓋部には、前記搬送従動ローラと、前記排出従動ローラの各々を、前記原稿が搬送される側に付勢する付勢手段が設けられていることを特徴とする請求項１記載の原稿読取装置。
【請求項３】
前記搬送駆動ローラ、前記搬送従動ローラ、前記排出駆動ローラおよび前記出駆動ローラは、軸線方向に二つ以上配置されていることを特徴とする請求項１記載の原稿搬送装置。
【発明の詳細な説明】
【技術分野】
【０００１】
本発明は、原稿読取装置に関する。
【背景技術】
【０００２】
厚みの異なる原稿上のデータを読み取る原稿読取装置として特許文献１のようなものがある。
【特許文献１】特開平６−２７６３７１号公報
【発明の開示】
【発明が解決しようとする課題】
【０００３】
しかし、この構成は、読み取る原稿の厚さ毎に設定しなければならず、連続して異なる厚さの原稿を読み取ることが難しいものであった。
【課題を解決するための手段】
【０００４】
上記課題を解決するために、本発明は、原稿のデータを読取部で読み取る原稿搬送装置において、読取部に原稿を搬送する搬送口に設けられた一対の搬送ローラと、読取部で原稿が読み取られた後に排出される排出口に設けられた一対の排出ローラと、搬送される原稿の方向に、搬送ローラおよび排出ローラを付勢する付勢手段と、一対の搬送ローラの隙間と、一対の一対の排出ローラの隙間を、原稿の厚さに応じて、調整するリンク機構とを有し、一対の搬送ローラは、第一駆動軸に軸支された搬送駆動ローラと、第一従動軸に軸支され、該搬送駆動ローラの回転に追従する搬送従動ローラとを備え、一対の排出ローラは、第二駆動軸に軸支された排出駆動ローラと、第二従動軸に軸支され、該排出駆動ローラの回転に追従する排出従動ローラとを備え、リンク機構は、第一従動軸を支持する第一リンクと、第二従動軸を支持する第二リンクと、該第一リンクと第二リンクとを軸支して、第一従動軸と第二従動軸を連結する支軸とを備え、リンク機構は、原稿の厚さに応じて、搬送従動ローラを搬送駆動ローラから離間させるとともに、搬送従動ローラを搬送駆動ローラとの離間動作に追従して、排出従動ローラを排出駆動ローラから離間させることを特徴とする。
【０００５】
また、搬送駆動ローラと排出駆動ローラが配置された本体部と、読取部およびリンク機構が配置された蓋部とからなり、蓋部には、搬送従動ローラと、排出従動ローラの各々を、原稿が搬送される側に付勢する付勢手段が設けられていることを特徴とする。
【０００６】
さらに、搬送駆動ローラ、搬送従動ローラ、排出駆動ローラおよび出駆動ローラは、軸線方向に二つ以上配置されていることを特徴とする
【発明の効果】
【０００７】
上記構成により、本発明によれば、簡単な構成で、読み取る原稿の厚さ毎に設置することなく、単に、原稿を一対の搬送ローラ間に食い込ませるのみで原稿を読み取ることができる。
【発明を実施するための最良の形態】
【０００８】
以下、本発明の形態を、図を参照して説明する。図１に本発明の画像読取装置の概略図を示す。この装置は、例えばＡ０サイズまでの大判用紙サイズの原稿Ｐを読み取るＬＥＤプリンタ等の印字出力装置に接続可能なイメージスキャナであり、スキャナ部とプリンタ部が一体となった複写機においても利用される。
【０００９】
このイメージスキャナは、図１に本発明の画像読取装置の構成は、搬送口１０から原稿Ｐを挿入して一対の搬送ローラ２００に突き当てた後、一対の搬送ローラ２００により原稿Ｐを読取部１００へ搬送し、原稿Ｐに記載されたデータを読取部１００で読み取った後、一対の排出ローラ３００により外部に排出する構成となっている。
【００１０】
なお、原稿Ｐに記載されたデータとは、イメージや文字、またはこれらが含まれたものをさす。さらに、詳しく説明すると、本発明の画像読取装置は、本体部６００と蓋部２０とリンク機構５００とからなる。
【００１１】
図２に示すように、本体部６００は、搬送駆動ローラ２１０と排出駆動ローラ３１０と原稿導入部７００とを備える。搬送駆動ローラ２１０は、一対の搬送ローラ２００の一方のローラであり、第一駆動軸２３０に軸支されている。
【００１２】
さらに、搬送駆動ローラ２１０は第一駆動軸２３０に二つ以上配置されている。また、第一駆動軸２３０は図示しない駆動源に連結され、第一駆動軸２３０をこの駆動源の駆動力を伝達し、搬送駆動ローラ２１０を回転させる。
【００１３】
排出駆動ローラ３１０は、一対の排出ローラ３００の一方のローラであり、第二駆動軸３３０に軸支されている。排出駆動ローラ３１０は、搬送駆動ローラ２１０と同様に、第二駆動軸３３０に二つ以上配置されている。また、第二駆動軸３３０は図示しない駆動源に連結され、第二駆動軸３３０をこの駆動源の駆動力を伝達し、排出駆動ローラ３１０を回転させる。
【００１４】
原稿導入部７００は、一対の搬送ローラ２００から繰り出される原稿Ｐを読取部１００に密接させるものである。このため、原稿導入部７００は、読取部１００と対向する位置、つまり、本実施の形態では、千鳥状に配置されている。
【００１５】
さらに、原稿導入部７００には、原稿導入部７００が蓋部２０側に付勢するようにバネや弾性体が設けられている。以上の構成により、正確に、読取部１００で、原稿Ｐに記載されたデータの読み取りができる。
【００１６】
次に、蓋部２０は、読取部１００と搬送従動ローラ２２０と排出従動ローラ３２０とを備える。読取部１００は、原稿Ｐに記載されたデータを読むものであり、ＣＣＤまたはＣＩＳが千鳥状に配置され、原稿Ｐを読み取る時には、原稿導入部７００と対向する位置となる。
【００１７】
読取部１００は、具体的には、ＣＣＤ（Ｃｈａｇｅ  Ｃｏｕｐｌｅｄ  Ｄｅｖｉｃｅ：ＣＣＤセンサ方式）、またはＣＩＳ（Ｃｏｎｔａｃｔ  Ｉｍａｇｅ  Ｓｅｎｓｏｒ：密着イメージセンサ方式）が適用される。
【００１８】
また、原稿導入部７００と対向する面にはプラテンガラス８００が設けられている。これにより、原稿Ｐが読取部１００を通過するときに、バネや弾性体の付勢力の作用により、原稿導入部７００が、所定圧で、プラテンガラス８００に突き当たり、原稿Ｐがプラテンガラス８００に密着し、正確に、原稿Ｐに記載されたデータの読み取りができる。
【００１９】
さらに、プラテンガラス８００の原稿Ｐの挿入側には、原稿Ｐが読取部１００側に搬送やすいようにガイド部８１０が設けられている。このガイド部８１０は、搬送方向に徐々に幅が狭くなるように形成され、一定以上の厚みがある原稿Ｐの搬送を規制している。
【００２０】
搬送従動ローラ２２０と排出従動ローラ３２０は、読取部１００の両側に位置し、搬送駆動ローラ２１０と排出駆動ローラ３１０と協働して原稿Ｐの搬送を行うものである。搬送従動ローラ２２０は、一対の搬送ローラ２００の他方のローラであり、第一従動軸２４０に軸支されている。搬送従動ローラ２２０と搬送駆動ローラ２１０とにより一対の搬送ローラ２００となる。
【００２１】
さらに、搬送従動ローラ２２０は、図２に示された搬送駆動ローラ２１０と同様に、第一従動軸２４０に二つ以上配置されている。各搬送従動ローラ２２０は、原稿Ｐを介して搬送駆動ローラ２１０、または、直接、搬送駆動ローラ２１０の回転に追従して回転する。
【００２２】
排出従動ローラ３２０は、図２に示された搬送従動ローラ２２０と同様に、第二従動軸３４０に二つ以上配置されている。各排出従動ローラ３２０は、搬送従動ローラ２２０と同様に、原稿Ｐを介して排出駆動ローラ３１０、または、直接、排出駆動ローラ３１０の回転に追従して回転する。
【００２３】
リンク機構５００は、搬送駆動ローラ２１０と搬送従動ローラ２２０の隙間Ｓ、および排出駆動ローラ３１０と排出従動ローラ３２０の隙間Ｓを、原稿Ｐの厚さに応じて、調整するものである。
【００２４】
図３に示すように、リンク機構５００は、第一リンク５１０と第二リンク５２０とからなる。第一リンク５１０および第二リンク５２０の各々一端は支軸で連結されている。一方、第一リンク５１０および第二リンク５２０の他端は、各々、第一従動軸２４０および第二従動軸３４０を支持している。
【００２５】
図３から明らかなように、第一従動軸２４０および第二従動軸３４０の支持は、第一従動軸２４０および第二従動軸３４０の両側から行われている。
【００２６】
さらに、蓋部２０には、搬送従動ローラ２２０と排出従動ローラ３２０の位置する上方に付勢手段４００が設けられている。付勢手段４００は、搬送される原稿Ｐの方向に、搬送従動ローラ２２０および排出従動ローラ３２０を付勢するものである。この付勢手段４００の付勢力により、搬送駆動ローラ２１０と搬送従動ローラ２２０との間、および搬送従動ローラ２２０と排出従動ローラ３２０との間に、所定圧で押圧し、良好な原稿Ｐの搬送を実現することができる。
【００２７】
以上、述べた、搬送駆動ローラ２１０と排出駆動ローラ３１０の組、搬送従動ローラ２２０と排出従動ローラ３２０の組、第一駆動軸２３０と第一従動軸２４０と第二駆動軸３３０と第二従動軸３４０の組は、同じ構成であり、部品の共通化を図って、製造原価のコストを削減することができる。
【００２８】
次に、動作について述べる。以上の構成のもと、原稿Ｐの先端を挿入口（符号なし）に挿入すると、原稿Ｐの厚さ分だけ、搬送駆動ローラ２１０と搬送従動ローラ２２０の隙間Ｓが形成される。この時、付勢手段４００により、搬送従動ローラ２２０が原稿Ｐ（下方）側に付勢されるため、所定圧で原稿Ｐが搬送される。
【００２９】
これに伴い、リンク機構５００により、搬送駆動ローラ２１０と搬送従動ローラ２２０の隙間Ｓの分だけ、排出従動ローラ３２０が上方にシフトする。
【００３０】
さらに、一対の搬送ローラ２００により原稿Ｐが繰り出されると、原稿Ｐの先端がガラスプラテンのガイド部に突き当たり、原稿Ｐの先端が矯正されて、プラテンガラス８００と原稿導入部７００との間に搬送される。
【００３１】
この時、原稿Ｐは、ばねや弾性体等により原稿導入部７００が上方に付勢され、所定圧でプラテンガラス８００に押圧された状態になる。この結果、原稿Ｐの読み取り不良となる皺やカールなどが確実に矯正され、読取部１００で原稿Ｐに記載されたデータを正確に読み取ることができる。
【００３２】
さらに、繰り出された原稿Ｐは、一対の排出ローラ３００を通過するときに、付勢手段４００により従動排出ローラが、原稿Ｐ（下方）側に付勢され、排出駆動ローラ３１０に対して、所定圧で押圧し、良好な搬送力で原稿Ｐを繰り出すことができる。一対の排出ローラ３００を通過した原稿Ｐは装置外へと排出される。
【００３３】
このように、簡単な構成で、読み取る原稿Ｐの厚さ毎に設置することなく、単に、原稿Ｐを一対の搬送ローラ２００間に食い込ませるのみで原稿Ｐを読み取ることができる。
【図面の簡単な説明】
【００３４】
【図１】本発明の画像読取装置の概略図。
【図２】本体部の上面図。
【図３】リンク機構の主要部の斜視図。
【符号の説明】
【００３５】
１０    搬送口
１００  読取部
２００  一対の搬送ローラ
２１０  搬送駆動ローラ
２２０  搬送従動ローラ
２３０  第一駆動軸
２４０  第一従動軸
３００  一対の排出ローラ
３１０  排出駆動ローラ
３２０  排出従動ローラ
３３０  第二駆動軸
３４０  第二従動軸
４００  付勢手段
５００  リンク機構
５１０  第一リンク
５２０  第二リンク
Ｐ      原稿
Ｓ      隙間
【図１】
2013095532.tif 000003
【図２】
2013095532.tif 000004
【図３】
2013095532.tif 000005